(57)【要約】【課題】画像形成装置のオペレータに対し、必要な調整の実行を促す。【解決手段】操作部を介して画像形成装置の一又は複数の調整項目について調整が必要である旨の設定操作がなされると（ステップＳ１３）、制御部は調整項目毎に調整が必要であることを示す調整要求情報を生成し、当該調整要求情報をジョブ情報に付加して記憶部に記憶する（ステップＳ１５）。【選択図】図５
2009128696.tif 000002
【特許請求の範囲】
【請求項１】
画像形成装置と通信する通信部と、
操作部と、
前記操作部の画像形成条件の設定操作に応じてジョブ情報を生成し、前記通信部を介して画像形成装置に送信する制御部と、を備え、
前記制御部は、前記操作部を介して画像形成装置の一又は複数の調整項目について調整が必要である旨の設定操作がなされると、調整項目毎に調整が必要であることを示す調整要求情報を生成し、当該調整要求情報を前記ジョブ情報に付加して画像形成装置に送信させる情報処理装置。
【請求項２】
ジョブ情報を記憶する記憶部と、
表示部と、
前記記憶部に記憶されたジョブ情報に調整要求情報が付加されている場合、ジョブ実行前に画像形成装置の調整を実行するための操作画面を前記表示部に表示する制御部と、
を備える画像形成装置。
【請求項３】
操作部と、
記憶部と、
前記操作部を介しての画像形成条件の設定操作に応じてジョブ情報を生成する制御部と、を備え、
前記制御部は、前記操作部を介して画像形成装置の一又は複数の調整項目について調整が必要である旨の設定操作がなされると、調整項目毎に調整が必要であることを示す調整要求情報を生成し、当該調整要求情報を前記ジョブ情報に付加して前記記憶部に記憶する画像形成装置。
【請求項４】
表示部を備え、
前記制御部は、前記記憶部に記憶されたジョブ情報に調整要求情報が付加されている場合、ジョブ実行前に画像形成装置の調整を実行するための操作画面を前記表示部に表示させる請求項３に記載の画像形成装置。
【請求項５】
前記制御部は、複数の調整項目について調整が必要である場合、調整項目毎の操作画面をオペレータが操作すべき順に表示させる請求項２又は４に記載の画像形成装置。
【請求項６】
前記制御部は、全ての調整項目の操作画面を表示させ、調整要求情報により調整が必要と指定された調整項目の操作画面については他の調整項目と異なる表示形態とする請求項２、４又は５に記載の画像形成装置。
【発明の詳細な説明】
【技術分野】
【０００１】
本発明は、情報処理装置及び画像形成装置に関する。
【背景技術】
【０００２】
プリンタ等の画像形成装置では、実行するジョブを予約する予約機能が搭載されている（例えば、特許文献１参照）。ユーザが使用する情報処理装置においてジョブ情報を作成し、これを画像形成装置に送信すると、画像形成装置ではジョブ情報をメモリに蓄積し、蓄積したジョブ情報に従って順次ジョブを実行するしくみである。これによれば、他のジョブの実行中であっても次のジョブの予約ができ、円滑に画像形成装置を稼働させることができる。
【０００３】
一方、画像形成装置では画像の色や濃度、画像形成の位置等が変動することがあり、調整が必要となる場合がある。従来、画像形成の実行時に調整のための操作を行うことができる画像形成装置がある（例えば、特許文献２参照）。
【特許文献１】特開２００４−２０２８４６号公報
【特許文献２】特開２００５−１１５１３７号公報
【発明の開示】
【発明が解決しようとする課題】
【０００４】
しかしながら、どの調整項目について調整が必要であるかを判断することは容易ではなく、画像形成装置のオペレータが経験の少ない者である場合には調整の必要性について判断しかねる場合がある。
また、情報処理装置や画像形成装置においてジョブ情報を設定する者と、画像形成装置においてそのジョブ情報を確認して実際に実行の操作を行う者とが異なる場合、ジョブ情報を設定する者にすれば調整が必要と思っていたにも拘わらず、実行操作を行う者は調整の必要性に気づかずに調整することなくジョブを実行してしまうことも考えられる。
【０００５】
本発明の課題は、画像形成装置のオペレータに対し、必要な調整の実行を促すことである。
【課題を解決するための手段】
【０００６】
請求項１に記載の発明によれば、
画像形成装置と通信する通信部と、
操作部と、
前記操作部の画像形成条件の設定操作に応じてジョブ情報を生成し、前記通信部を介して画像形成装置に送信する制御部と、を備え、
前記制御部は、前記操作部を介して画像形成装置の一又は複数の調整項目について調整が必要である旨の設定操作がなされると、調整項目毎に調整が必要であることを示す調整要求情報を生成し、当該調整要求情報を前記ジョブ情報に付加して画像形成装置に送信させる情報処理装置が提供される。
【０００７】
請求項２に記載の発明によれば、
ジョブ情報を記憶する記憶部と、
表示部と、
前記記憶部に記憶されたジョブ情報に調整要求情報が付加されている場合、ジョブ実行前に画像形成装置の調整を実行するための操作画面を前記表示部に表示する制御部と、
を備える画像形成装置が提供される。
【０００８】
請求項３に記載の発明によれば、
操作部と、
記憶部と、
前記操作部を介しての画像形成条件の設定操作に応じてジョブ情報を生成する制御部と、を備え、
前記制御部は、前記操作部を介して画像形成装置の一又は複数の調整項目について調整が必要である旨の設定操作がなされると、調整項目毎に調整が必要であることを示す調整要求情報を生成し、当該調整要求情報を前記ジョブ情報に付加して前記記憶部に記憶する画像形成装置が提供される。
【０００９】
請求項４に記載の発明によれば、
表示部を備え、
前記制御部は、前記記憶部に記憶されたジョブ情報に調整要求情報が付加されている場合、ジョブ実行前に画像形成装置の調整を実行するための操作画面を前記表示部に表示させる請求項３に記載の画像形成装置が提供される。
【００１０】
請求項５に記載の発明によれば、
前記制御部は、複数の調整項目について調整が必要である場合、調整項目毎の操作画面をオペレータが操作すべき順に表示させる請求項２又は４に記載の画像形成装置が提供される。
【００１１】
請求項６に記載の発明によれば、
前記制御部は、全ての調整項目の操作画面を表示させ、調整要求情報により調整が必要と指定された調整項目の操作画面については他の調整項目と異なる表示形態とする請求項２、４又は５に記載の画像形成装置が提供される。
【発明の効果】
【００１２】
請求項１に記載の発明によれば、情報処理装置においてジョブを設定する者が、ジョブ設定時に画像形成装置の調整が必要か否かを指定することができる。ジョブ情報に調整要求情報が付加されていることにより、画像形成装置ではオペレータの判断能力に依存することなく、実行するジョブについて調整が必要と指定されたか否かを判断することが可能となる。よって、画像形成装置のオペレータに対し、調整が必要なジョブについては調整を行うよう促すことが可能となり、ジョブを設定した者の意図に応じた画像形成が可能となる。
【００１３】
請求項２、４に記載の発明によれば、画像形成装置のオペレータに対し、調整要求情報により調整が必要と指定されたジョブについてはジョブ実行前に調整操作を行うよう促すことができる。よって、ジョブを設定した者の意図に応じた画像形成が可能となる。
【００１４】
請求項３に記載の発明によれば、ジョブ情報に調整要求情報が付加されていることにより、オペレータの判断能力に依存することなく、実行するジョブについて調整が必要と指定されたか否かを判断することが可能となる。よって、画像形成装置のオペレータに対し、調整が必要なジョブについては調整を行うよう促すことが可能となり、ジョブを設定した者の意図に応じた画像形成が可能となる。
【００１５】
請求項５に記載の発明によれば、画像形成装置のオペレータは操作すべき順に調整操作を行うことができ、効率が良い。
【００１６】
請求項６に記載の発明によれば、ジョブを設定した者により調整が必要と指定された調整項目を、調整操作を行うオペレータが容易に判別することができる。
【発明を実施するための最良の形態】
【００１７】
まず、構成を説明する。
図１に、本実施形態における画像形成装置１の機能的構成を示す。
画像形成装置１は、プリンタ、コピー機、ファクシミリ装置又はこれらの複合機等であり、ユーザの操作に応じて画像形成を行うものである。また、画像形成装置１は情報処理装置Ｐと接続され、情報処理装置Ｐから送信されるジョブ情報に従って画像形成を行うことも可能である。
【００１８】
ここで、ジョブとは行う画像形成の一連の動作をいい、ジョブ情報とは実行するジョブについての指示の内容を示す情報をいう。例えば、ジョブ情報には画像形成条件や、画像形成後に後処理を行う場合にはその後処理条件等の設定情報が含まれる。
【００１９】
図１に示すように、画像形成装置１は、画像読取部２、操作部３、画像形成部４、表示部５、本体部１０等を備えて構成されている。
以下、各構成部分について説明する。
【００２０】
画像読取部２は、スキャナ２１、ＡＤＦ（自動紙送り機構）等から構成されている。画像読取部２は、スキャナ２１により原稿台に載置された原稿面を露光走査し、光電変換することにより原稿の画像を読み取る。読み取られた画像のアナログ画像信号は、本体部１０の読取処理部１３に出力される。
【００２１】
操作部３は、タッチパネルである操作ディスプレイ３１、その他図示しない操作キー群等により構成される。操作部３は、操作キー群又は操作ディスプレイ３１から入力される操作信号を制御部１１に出力する。
【００２２】
画像形成部４は、露光部、感光ドラム、現像部等からなるユニット、定着器、給紙部等を備えて構成され、制御部１１からの指示に従って、書込処理部１８から入力された画像データに基づき、用紙への画像形成を行う。画像形成においては、まず露光部により感光ドラム表面に静電潜像を形成する。そして、感光ドラム上の静電潜像を現像部のトナーで現像してトナー像を形成し、当該トナー像を給紙部から給紙された用紙に転写する。その後、定着器が定着処理を行う。
【００２３】
表示部５は、制御部１１から入力された表示信号に従って、画像形成条件を設定するための操作画面の他、画像形成装置１の調整を行う際に調整条件を設定したり実行の指示操作を行ったりするための操作画面、ジョブ情報の確認を行うための操作画面等を操作ディスプレイ３１上に表示させる。
【００２４】
本体部１０は、図１に示すように、制御部１１、記憶部１２、読取処理部１３、圧縮ＩＣ（Integrated Circuit）１４、ＤＲＡＭ（Dynamic Random Access Memory）制御IC１５、画像メモリ１６、伸張ＩＣ１７、書込処理部１８、通信部１９を備えて構成されている。
【００２５】
制御部１１は、ＣＰＵ（Central Processing Unit）やＲＡＭ（Random Access Memory）等から構成され、記憶部１２に記憶されているプログラムとの協働により、各種演算を行うとともに各部の動作を集中制御する。
例えば、制御部１１はプログラムとの協働により、ジョブ情報を生成したり、生成したジョブ情報に従って画像形成動作を制御したりする。
【００２６】
記憶部１２は、ハードディスク等のメモリからなり、制御部１１により用いられる各プログラムの他、プログラムの実行に用いられるパラメータ等を記憶している。
また、記憶部１２はジョブ情報を記憶する。
【００２７】
ＤＲＡＭ制御ＩＣ１５は、制御部１１からの指示に従って、圧縮ＩＣ１４による画像データの圧縮処理及び伸張ＩＣ１７による圧縮画像データの伸張処理を制御するとともに、画像メモリ１６への画像データの入出力制御を行う。例えば、画像読取部２により読み取られた画像データの保存が指示されると、読取処理部１３から入力された画像データの圧縮処理を圧縮ＩＣ１４により実行させて、圧縮画像データを画像メモリ１６の圧縮メモリ１６ａに格納させる。また、画像形成の際には圧縮メモリ１６ａから圧縮画像データを読み出し、伸張ＩＣ１７により伸張処理を実行させてページメモリ１６ｂに格納させる。次いで、ページメモリ１６ｂから非圧縮画像データを読み出して書込処理部１８に出力する。
【００２８】
画像メモリ１６は、ＤＲＡＭから構成される圧縮メモリ１６ａ、ページメモリ１６ｂを備える。圧縮メモリ１６ａは、圧縮画像データを格納するためのメモリであり、ページメモリ１６ｂは、非圧縮画像データを一時的に格納するためのメモリである。
【００２９】
伸張ＩＣ１７は、入力される圧縮画像データに伸張処理を施す。
書込処理部１８は、ＤＲＡＭ制御ＩＣ１５から入力された画像データに基づいて、画像形成用のデータを生成し、画像形成部４に出力する。
【００３０】
通信部１９は、ネットワークインターフェイスカード（以下、ＮＩＣという）等の通信用インターフェイスや、データ制御部等を備える。通信部１９は、情報処理装置Ｐからジョブ情報を受信する等、情報のやりとりを行う。
【００３１】
次に、情報処理装置Ｐについて説明する。
情報処理装置Ｐは、ユーザが使用するＰＣ（Personal Computer）等のコンピュータ装置である。
図２に、情報処理装置Ｐの機能的構成を示す。
情報処理装置Ｐは、図２に示すように、制御部Ｐ１、操作部Ｐ２、表示部Ｐ３、記憶部Ｐ４、通信部Ｐ５を備えて構成されている。
【００３２】
制御部Ｐ１は、ＣＰＵやＲＡＭ等から構成され、記憶部Ｐ４に記憶されているプログラムとの協働により、各種演算を行うとともに各部の動作を集中制御する。
制御部Ｐ１は、プリンタドライバプログラムとの協働により、ジョブ情報を生成して通信部Ｐ５により画像形成装置１に送信するプリンタドライバ機能を実現する。
【００３３】
操作部Ｐ２は、キーボードやマウス等を備えてこれらの操作に応じた操作信号を生成し、制御部Ｐ１に出力する。
【００３４】
表示部Ｐ３は、ディスプレイを備え、制御部１１の制御に従って、ジョブを設定する操作画面等をディスプレイ上に表示する。
【００３５】
記憶部Ｐ４は、ハードディスク等のメモリからなり、プログラムやプログラムの実行に必要なパラメータ等を記憶している。
【００３６】
通信部Ｐ５は、ＮＩＣ等からなり、外部の装置と通信を行う。例えば、通信部Ｐ５は画像形成装置１にジョブ情報を送信したりする。
【００３７】
次に、動作について説明する。
本実施形態では、情報処理装置Ｐにおいてジョブ情報を生成する際に、画像形成装置１の調整が必要である旨の設定操作が行われると、調整が必要であることを示す調整要求情報をジョブ情報に付加する。
図３を参照して、その際に情報処理装置Ｐにおいて行われる処理の流れを説明する。
【００３８】
情報処理装置Ｐでは、操作部Ｐ２を介してジョブの設定が指示操作されると、制御部Ｐ１とプリンタドライバプログラムとの協働により、ジョブの設定を行うための操作画面が表示部Ｐ３上に表示される。操作画面には、画像形成を行うページ範囲や部数、両面／片面、用紙のサイズ等の画像形成条件を設定するための操作画面が含まれる。また、画像形成装置１において調整が必要か否かを設定するための操作画面も含まれる。
【００３９】
画像形成装置１の調整とは画像形成に影響する装置特性を調整することをいい、調整には一又は複数の調整項目がある。調整項目としては、例えば画像形成時の色の濃度を調整する色合わせや、１枚の用紙の両面に画像形成を行う際にその画像形成を行う位置を調整する見当合わせ等がある。
【００４０】
図４に、画像形成装置１において調整が必要か否かを設定するための操作画面の一例を示す。
図４に示すように、操作画面ｄ１において制御部Ｐ１は調整の必要の有無を設定するための設定領域ｋ１を調整項目毎に表示させる。図４では、「色合わせ」、「見当合わせ」の２つの調整項目について、調整が必要であることを示すオン、調整は不要であることを示すオフを選択設定可能な設定領域ｋ１を表示させた例を示している。
【００４１】
ユーザは、画像形成条件の設定操作を行った後、画像形成装置１の調整が必要であれば、操作画面ｄ１の設定領域ｋ１においてその必要な調整項目についてオンの設定操作をすればよい。設定操作を終了したらＯＫボタンｄ１１を操作する。
【００４２】
ＯＫボタンｄ１１が操作されると、情報処理装置Ｐでは制御部Ｐ１において、まず画像形成条件の設定操作に応じてジョブ情報を生成する（ステップＳ１）。
次いで、制御部Ｐ１は調整が必要であることを示す設定操作がなされているか否かを判断する（ステップＳ２）。図４の操作画面ｄ１においてオンの設定操作がなれており、調整が必要であることを示す設定操作がなされている場合（ステップＳ２；Ｙ）、制御部Ｐ１は調整項目毎に調整が必要であることを示す調整要求情報を生成する。そして、制御部Ｐ１は前記生成したジョブ情報に調整要求情報を付加する（ステップＳ３）。
【００４３】
次いで、制御部Ｐ１は調整要求情報を付加したジョブ情報を通信部Ｐ５により画像形成装置１に送信する（ステップＳ４）。
画像形成装置１では、受信したジョブ情報を記憶部１２に記憶する。
【００４４】
一方、操作画面ｄ１においてオフの設定操作がなされており、調整が必要であることの設定操作がなされていない場合（ステップＳ２；Ｎ）、制御部Ｐ１はステップＳ３の処理は省略して、生成したジョブ情報のみを通信部１９を介して画像形成装置１に送信する（ステップＳ４）。画像形成装置１では、受信したジョブ情報を記憶部１２に記憶する。
【００４５】
なお、調整要求情報をジョブ情報に付加する処理は、画像形成装置１においても可能である。新規にジョブ情報を生成する場合は上記の処理の流れと同様の処理によって、調整要求情報の付加を行う。また、既に生成され、記憶部１２に保存されたジョブ情報についても追加的に調整要求情報を付加することも可能である。この場合の処理の流れを、図５を参照して説明する。
【００４６】
説明の前提として、記憶部１２に保存されているジョブ情報の一覧画面を表示部５に表示しており、そのうち調整要求情報を付加するジョブ情報がユーザにより選択操作されたこととする。
図５に示すように、ジョブ情報が選択操作されると（ステップＳ１１；Ｙ）、制御部１１は画像形成装置１の調整が必要か否かを設定するための操作画面を表示部５に表示させる（ステップＳ１２）。
【００４７】
図６に、一例としての操作画面ｄ２を示す。
この操作画面ｄ２において、制御部１１は図６に示すように「色合わせ」、「見当合わせ」の調整項目毎に調整するか否かの選択ボタンｋ２を表示させるので、ユーザは何れかを選択操作すればよい。
【００４８】
次いで、制御部Ｐ１は調整が必要であることを示す設定操作がなされているか否かを判断する（ステップＳ１３）。調整する旨の選択ボタンｋ２が操作されており、調整が必要であることを示す設定操作がなされている場合（ステップＳ１３；Ｙ）、制御部Ｐ１は調整項目毎に調整が必要であることを示す調整要求情報を生成する。制御部Ｐ１は前記生成したジョブ情報に調整要求情報を付加し（ステップＳ１４）、記憶部１２に保存する（ステップＳ１５）。
【００４９】
一方、調整しない旨の選択ボタンｋ２が操作されており、調整が必要であることの設定操作がなされていない場合（ステップＳ１３；Ｎ）、制御部Ｐ１はステップＳ１４の処理を省略して、生成したジョブ情報のみを記憶部１２に保存する（ステップＳ１５）。
【００５０】
次に、ジョブの実行時に画像形成装置１において行われる処理について、図７を参照して説明する。
図７に示すように、まず制御部１１が記憶部１２に保存されているジョブ情報の有無を判断する（ステップＳ２１）。ジョブ情報が有る場合（ステップＳ２１；Ｙ）、制御部１１はジョブ情報において設定されている画像形成条件を表示部５により表示させる（ステップＳ２２）。画像形成装置１のオペレータに画像形成条件を確認させるためである。このとき、画像形成条件の修正操作が可能であり、操作部３を介して修正操作がなされると、制御部１１は修正操作に応じてジョブ情報における画像形成条件を書き換える。
【００５１】
次いで、制御部１１はジョブ情報に調整要求情報が付加されているか否かを判断する（ステップＳ２３）。調整要求情報が付加されていない場合には（ステップＳ２３；Ｎ）、ジョブ情報における画像形成条件に従って画像形成部４により画像形成を実行する（ステップＳ２９）。
【００５２】
一方、調整要求情報が付加されている場合（ステップＳ２３；Ｙ）、制御部１１は調整項目毎に調整のための操作画面を表示部５に表示させる。その際、制御部１１は各調整項目の操作画面をオペレータが操作すべき順番で表示させる。操作すべき順番とは、調整する構成部等を考慮して効率良く調整できる順番として予め定められた順番である。また、制御部１１は調整要求情報に基づいて調整が必要と指定された調整項目を判断し、各調整項目の操作画面のうち、調整要求情報により必要な調整項目として指定された調整項目の操作画面については、他の調整項目（必要な調整項目として指定されていない調整項目）と異なる表示形態により表示させる（ステップＳ２４）。
【００５３】
図８に、調整のための操作画面の表示例を示す。ここでは、ジョブ情報に「色合わせ」の調整項目について調整が必要である旨の調整要求情報が付加されていた場合の例を説明する。
図８に示すように、制御部１１は全ての調整項目「色合わせ」、「見当合わせ」の操作画面をタブ形式で表示させ、初期表示時には最初の順番にあたる「色合わせ」の調整項目の操作画面ｄ３を表示させる。制御部１１は各操作画面をオペレータが操作すべき順番として予め定められている「色合わせ」、「見当合わせ」の調整項目順にタブｄ３１、ｄ３２を表示させ、これをオペレータが行う調整操作のワークフローとして示している。また、制御部１１は各調整項目「色合わせ」、「見当合わせ」のうち、調整要求情報により必要と指定された「色合わせ」の調整項目については、そのタブｄ３１部分に模様や色を付す等して、その他の「見当合わせ」の調整項目と異なる表示形態としている。
【００５４】
操作画面ｄ３では、制御部１１は色合わせ実行ボタンｋ３を表示させる。
調整要求情報により必要と指定された調整項目が「色合わせ」である場合（ステップＳ２５；Ｙ）、制御部１１は色合わせ実行ボタンｋ３の操作以外の操作を無効とし、必ず色合わせの調整操作を行うように促す。そして、色合わせ実行ボタンｋ３の操作がなされると、制御部１１の制御により色合わせの調整処理を実行する（ステップＳ２６）。調整処理を終えると、制御部１１は「見当合わせ」の操作画面に切替表示させ、ステップＳ２７の処理に移行する。
【００５５】
指定された調整項目が「色合わせ」ではない場合（ステップＳ２５；Ｎ）、色合わせの調整は必須ではないため、特に上記のような操作上の制限はされない。よって、ステップＳ２６の処理は行わず、ステップＳ２７の処理に移行する。
なお、「色合わせ」の調整項目が指定されていない場合、色合わせの調整処理を実行するか否かはオペレータの任意である。よって、オペレータが「色合わせ」を希望する場合には操作画面ｄ３において色合わせ実行ボタンｋ２の操作を行えばよい。画像形成装置１では操作に応じて色合わせの調整処理を実行し、その後「見当合わせ」の操作画面に切り替える。
【００５６】
色合わせの調整が不要である場合、オペレータはワークフローに示された次のステップにすすむため、図８に示す操作画面ｄ３において、調整項目「見当合わせ」のタブｄ３２を操作すればよい。タブｄ３２が操作されると、制御部１１は調整項目「見当合わせ」の操作画面に切替表示させる。
【００５７】
図９に、一例として調整項目「見当合わせ」の操作画面ｄ４を示す。
操作画面ｄ４は、見当合わせの調整処理を行う際の調整条件を設定したり、実行指示したりするための操作画面である。制御部１１は、操作画面ｄ４上に用紙の表面、裏面のそれぞれにおける倍率や画像のシフト量等を設定するための選択ボタンｋ４や設定値を入力するための数字ボタンｋ５等を表示させる。
オペレータは、選択ボタンｋ４や数字ボタンｋ５の操作により、調整条件の設定操作を行う。調整条件の設定操作を終えたら、実行ボタンｋ６を操作する。
【００５８】
なお、調整要求情報により必要と指定された調整項目が「見当合わせ」である場合（ステップＳ２７；Ｙ）、制御部１１は実行ボタンｋ６が操作されるまでワークフローの次のステップに移行するための操作を無効とし、必ず見当合わせの調整操作を行うように促す。そして、実行ボタンｋ６の操作がなされると、制御部１１の制御により設定された調整条件に従って見当合わせの調整処理を実行する（ステップＳ２８）。調整処理を終えると、制御部１１は「印刷」の操作画面に切替表示させ、ステップＳ２９の処理に移行する。
【００５９】
指定された調整項目が「見当合わせ」ではない場合（ステップＳ２７；Ｎ）、見当合わせの調整は必須ではないため、特に上記のような操作上の制限はされない。よって、ステップＳ２８の処理は行わず、ステップＳ２９の処理に移行する。
なお、「見当合わせ」の調整項目が指定されていない場合、見当合わせの調整処理を実行するか否かはオペレータの任意である。よって、オペレータが「見当合わせ」を希望する場合には実行ボタンｋ６を操作すればよい。画像形成装置１では操作に応じて見当合わせの調整処理を実行し、その後「印刷」の操作画面に切り替える。
【００６０】
見当合わせの調整は不要である場合、オペレータはワークフローに示された次のステップにすすむため、「印刷」のタブｄ３３を操作すればよい。タブｄ３３が操作されると、制御部１１は「印刷」の操作画面に切替表示させる。
【００６１】
図１０は、「印刷」の操作画面ｄ５の例を示す図である。
図１０に示すように、この操作画面ｄ５ではスタートボタンｋ６及びキャンセルボタンｋ７を表示させる。
オペレータは画像形成の開始を指示する場合、スタートボタンｋ６を操作すればよい。  スタートボタンｋ６の操作に応じて、画像形成装置１では画像形成部４により画像形成条件に従って用紙上に画像形成を行い（ステップＳ２９）、本処理を終了する。
【００６２】
以上のように、情報処理装置Ｐにおいてジョブ情報の生成時に、画像形成装置１の調整が必要であることの設定操作がなされると、調整が必要である旨を示す調整要求情報を生成し、これをジョブ情報に付加して画像形成装置１に送信する。これにより、画像形成装置１ではジョブの実行時にジョブ情報に付加されている調整要求情報に基づいて、調整が必要であるか否かを判断することができ、ジョブ実行前に調整操作のための操作画面を表示させることができる。
【００６３】
また、画像形成装置１においてもジョブ情報に調整要求情報を付加させることができるので、同様にジョブの実行時に調整が必要であるか否かを判断でき、ジョブ実行前に調整操作のための操作画面を表示させることができる。
【００６４】
よって、画像形成装置１におけるオペレータが経験不足であったり、不慣れな者であっても、当該オペレータに調整が必要なジョブについては調整操作を行うよう促して調整させることができる。また、ジョブを設定するユーザがジョブの設定時に調整が必要か否かを指定できるので、ユーザの意図に応じた画像形成が可能となる。
【００６５】
また、調整要求情報は調整項目毎に生成、付加するので、調整項目毎に調整が必要か否かを指定することが可能となる。
また、調整のための操作画面は調整項目毎に表示し、調整要求情報により調整が必要と指定された調整項目についてはその他の調整項目とは異なる表示形態とするので、画像形成装置１のオペレータはジョブを設定したユーザにより要求された調整項目がどれかが容易に判別することが可能となる。
【００６６】
さらに、調整項目毎の操作画面はオペレータが操作すべき順番に表示させるので、その順番に調整処理を実行することが可能となる。操作すべき順番を調整する効率が最も良い順番とするので、その順に調整処理を実行することにより効率的な調整処理が可能となる。
【００６７】
なお、上記実施形態は本発明を適用した好適な一例であり、これに限定されない。
例えば、上述の説明では、画像形成装置１の調整項目として色合わせ、見当合わせを挙げたが、階調補正等の他の調整項目であってもよい。
【００６８】
また、画像形成装置１に後処理装置が接続されている場合、後処理装置における調整についても、調整要求情報を生成し、ジョブ情報に付加できることとしてもよい。これにより、後処理装置において調整が必要であることをジョブ情報の生成時に指示することが可能となる。
【００６９】
具体的には、図１１及び図１２に示すように、色合わせ、見当合わせの調整項目の次に、フィニッシングのタブｄ３４を設ける。そして、タブｄ３４が選択されると操作画面ｄ６を表示させる。操作画面ｄ６上には後処理装置における各種調整項目を選択するための選択ボタンｋ８を表示させ、このうち例えば中とじストッパ位置調整の選択ボタンｋ８が操作されると、図１２に示す操作画面ｄ７を表示させる。操作画面ｄ７は、中とじストッパ位置調整の調整条件を設定するための操作画面である。実行ボタンｋ９の操作により制御部１１は操作画面ｄ７で設定された調整条件に応じて調整処理を行うよう指示する制御情報を生成し、後処理装置に出力する。後処理装置は制御情報に従って調整処理を行うこととなる。
【図面の簡単な説明】
【００７０】
【図１】本実施形態における画像形成装置の機能的構成を示す図である。
【図２】本実施形態における情報処理装置の機能的構成を示す図である。
【図３】情報処理装置においてジョブ情報を生成する際に実行される処理の流れを示すフローチャートである。
【図４】調整が必要である旨の設定操作を行うための設定画面例を示す図である。
【図５】画像形成装置においてジョブ情報に調整要求情報を付加する際に実行される処理の流れを示すフローチャートである。
【図６】調整が必要である旨の設定操作を行うための設定画面例を示す図である。
【図７】ジョブ情報に調整要求情報が付加されている場合に、画像形成装置において実行される処理の流れを示すフローチャートである。
【図８】色合わせの調整を実行するための操作画面例を示す図である。
【図９】見当合わせの調整を実行するための操作画面例を示す図である。
【図１０】印刷を実行するための操作画面例を示す図である。
【図１１】後処理装置の調整が可能な場合に、その調整を実行するための操作画面例を示す図である。
【図１２】後処理装置の調整が可能な場合に、その調整を実行するための操作画面例を示す図である。
【符号の説明】
【００７１】
１  画像形成装置
１０    本体部
１１    制御部
１２    記憶部
２  画像読取部
３  操作部
４  画像形成部
５  表示部
Ｐ  情報処理装置
Ｐ１  制御部
Ｐ２  操作部
Ｐ３  表示部
Ｐ４  記憶部
Ｐ５  通信部
【図１】
2009128696.tif 000003
【図２】
2009128696.tif 000004
【図３】
2009128696.tif 000005
【図４】
2009128696.tif 000006
【図５】
2009128696.tif 000007
【図６】
2009128696.tif 000008
【図７】
2009128696.tif 000009
【図８】
2009128696.tif 000010
【図９】
2009128696.tif 000011
【図１０】
2009128696.tif 000012
【図１１】
2009128696.tif 000013
【図１２】
2009128696.tif 000014